(57)【要約】  操作機器本体は、表示モジュールと、表示モジュールおよび空気調和器へ制御信号を出力する制御基板と、表示モジュールおよび制御基板を収容する筐体（１０）と、筐体（１０）の外壁に着脱自在に取り付けられた意匠パネル（１４、１５）と、を備える。筐体（１０）は、側壁（１３１、１３２）に設けられた孔（１３１ａ、１３１ｂ、１３２ａ、１３２ｂ）および開口部（１３２ｃ）を有する。意匠パネル（１４、１５）は、係合爪（１４１ａ、１４２ａ、１５１ａ、１５２ａ）を有する。フック（１４１ｂ、１４２ｂ、１５１ｂ、１５２ｂ）は、孔（１３１ａ、１３１ｂ、１３２ａ、１３２ｂ）に係合爪（１４１ａ、１４２ａ、１５１ａ、１５２ａ）が嵌入されてから意匠パネル（１４、１５）が側壁（１３１、１３２）の外面に沿って摺動されると、側壁（１３１、１３２）における孔（１３１ａ、１３１ｂ、１３２ａ、１３２ｂ）および開口部（１３２ｃ）の外周部に係合する。
2019215890.tif 000002
【特許請求の範囲】
【請求項１】
表示モジュールと、
前記表示モジュールおよび操作対象機器へ制御信号を出力する制御基板と、
前記表示モジュールおよび前記制御基板を収容する筐体と、
前記筐体の外壁に着脱自在に取り付けられた意匠パネルと、を備える、
操作機器。
【請求項２】
前記筐体は、一面が開放された箱状であり、底壁または前記底壁の周部から前記底壁と交差する一方向へ延出する側壁に設けられた、前記意匠パネルを前記筐体に着脱自在に取り付けるための複数の孔を有し、
前記意匠パネルは、前記筐体における前記底壁の周部の外面から前記側壁の外面に至る部分を覆うように配置され、前記筐体に設けられた前記複数の孔のうちの少なくとも２つの孔に対向する部位に突設された係合爪を有し、
前記係合爪は、先端に前記底壁または前記側壁の厚さ方向に直交する方向へ延出するフックが設けられ、
前記フックは、前記少なくとも２つの孔に前記係合爪が嵌入されてから前記意匠パネルが前記底壁または前記側壁の外面に沿って摺動されると、前記底壁または前記側壁における前記少なくとも２つの孔の外周部に係合する、
請求項１に記載の操作機器。
【請求項３】
前記筐体は、先端部に前記筐体の外側へ突出する突起が設けられた第１可撓片を更に有し、
前記意匠パネルは、前記第１可撓片に対向する部位に設けられ、前記意匠パネルが前記筐体に固定された状態で、前記突起が係合する凹部を有する、
請求項２に記載の操作機器。
【請求項４】
前記筐体は、前記底壁または前記側壁における前記少なくとも２つの孔の外周部から前記少なくとも２つの孔の内側へ延出する第２可撓片を有し、
前記第２可撓片の先端部は、前記フックが前記底壁または前記側壁における前記少なくとも２つの孔の外周部に係合された状態で、前記係合爪の基端部に係合する、
請求項２または３に記載の操作機器。
【発明の詳細な説明】
【技術分野】
【０００１】
本発明は、操作機器に関する。
【背景技術】
【０００２】
空調システムの運転状態を切り換えるリモートコントロール装置が提案されている（例えば特許文献１参照）。
【先行技術文献】
【特許文献】
【０００３】
【特許文献１】特開２０１５−１１４０５７号公報
【発明の概要】
【発明が解決しようとする課題】
【０００４】
ところで、この種のリモートコントロール装置は、その設置場所またはユーザの好みに応じてその外観を異なるものにすることが要請される場合がある。例えば、リモートコントロール装置の筐体の色をその工場出荷時の色から設置される壁の色に近い色合いにカスタマイズして目立たなくしたいという要請がある。或いは、リモートコントロール装置の外観をその工場出荷時の外観に比べてより意匠性または高品質感のあるものにカスタマイズしたいという要請もある。【０００５】
本発明は、上記事由に鑑みてなされたものであり、設置後において設置場所またはユーザの好みに応じた外観に変更することが可能な操作機器を提供することにある。
【課題を解決するための手段】
【０００６】
上記目的を達成するため、本発明に係る操作機器は、
表示モジュールと、
前記表示モジュールおよび操作対象機器へ制御信号を出力する制御基板と、
前記表示モジュールおよび前記制御基板を収容する筐体と、
前記筐体の外壁に着脱自在に取り付けられた意匠パネルと、を備える。
【発明の効果】
【０００７】
本発明によれば、意匠パネルが筐体の外壁に着脱自在に取り付けられている。これにより、意匠パネルを異なる外観のものに取り換えることができるので、操作機器の設置後において操作機器の外観をその設置場所またはユーザの好みに応じた外観に変更することができるという利点がある。
【図面の簡単な説明】
【０００８】
【図１】本発明の実施の形態に係る操作機器の斜視図
【図２】実施の形態に係る操作機器の図１のＡ−Ａ線における断面矢視図
【図３】実施の形態に係る操作機器を図１とは異なる方向から見た斜視図
【図４】実施の形態に係る操作機器が壁に取り付けられた状態の一例を示す図
【図５】実施の形態に係る表示モジュールおよび制御基板の斜視図
【図６】実施の形態に係る表示モジュールおよび制御基板を図５とは異なる方向から見た斜視図
【図７】実施の形態に係る筐体および意匠パネルの分解斜視図
【図８Ａ】実施の形態に係る操作機器本体の側面図
【図８Ｂ】実施の形態に係る操作機器本体の図８ＡのＢ−Ｂ線における断面矢視図
【図８Ｃ】実施の形態に係る操作機器本体の図８ＡのＣ−Ｃ線における断面矢視図
【図９】実施の形態に係る操作機器本体の斜視図
【図１０】実施の形態に係るベース部材の斜視図
【図１１】実施の形態に係る操作機器の取り付け方法を説明するための模式図
【図１２】実施の形態に係る操作機器の取り付け方法を説明するための模式図
【図１３】実施の形態に係る操作機器の取り付け方法を説明するための模式図
【図１４】実施の形態に係る操作機器の意匠パネル交換方法を説明するための模式図
【図１５】実施の形態に係る操作機器の意匠パネル交換方法を説明するための斜視図
【図１６】実施の形態に係る操作機器の意匠パネル交換方法を説明するための図１５のＤ−Ｄ線における断面矢視図
【図１７】変形例に係る操作機器本体の分解斜視図
【図１８Ａ】変形例に係る操作機器本体の正面図
【図１８Ｂ】変形例に係る操作機器本体の図１８ＡのＥ−Ｅ線における断面矢視図
【図１８Ｃ】変形例に係る操作機器本体の図１８ＡのＦ−Ｆ線における断面矢視図
【図１９Ａ】変形例に係る操作機器本体の側面図
【図１９Ｂ】変形例に係る操作機器本体の図１９ＡのＧ−Ｇ線における断面矢視図
【図２０】変形例に係る操作機器本体の分解斜視図
【図２１Ａ】変形例に係る操作機器本体の正面図
【図２１Ｂ】変形例に係る操作機器本体の図２１ＡのＨ−Ｈ線における断面矢視図
【図２２Ａ】変形例に係る操作機器本体の側面図
【図２２Ｂ】変形例に係る操作機器本体の図２２ＡのＩ−Ｉ線における断面矢視図
【図２３】変形例に係る操作機器の側面図
【発明を実施するための形態】
【０００９】
以下、本発明の実施の形態に係る操作機器について、図面を参照しながら説明する。本実施の形態に係る操作機器は、例えば建物の壁に設置され、信号線を介して操作対象機器である空気調和機（図示せず）と接続される。この操作機器は、ユーザによる操作に応じた制御信号を操作対象機器へ送信することにより操作対象機器を制御する。
【００１０】
図１、図２および図３に示すように、本実施の形態に係る操作機器１００は、操作機器本体１と、操作機器本体１を壁（造営材）に取り付けるためのベース部材１８と、を備える。操作機器１００は、図４に示すように、壁Ｗに固定され、床面（地面）Ｆ側とは反対側の上方に、空気調和機と通信するための信号線Ｌが接続された状態で設置される。以下、本明細書では、適宜、操作機器１００が図４に示すように壁Ｗに取り付けられたときの鉛直上向きを＋Ｙ方向、鉛直下向きを−Ｙ方向として説明する。また、壁Ｗに平行であり且つ鉛直方向に直交する方向をＸ方向とし、壁Ｗに対して垂直な方向をＺ方向として説明する。
【００１１】
操作機器本体１は、図１および図２に示すように、筐体１０と、意匠パネル１４、１５と、制御基板８と、表示モジュール１１と、保護シート２１、２２と、を有する。表示モジュール１１は、図５に示すように、ディスプレイ１１１と、ディスプレイ１１１の前面に重ねて配置されたタッチパネル１１２と、を有する。ディスプレイ１１１は、例えば液晶ディスプレイであり、操作機器１００が設置されている場所の温度または空気調和機を操作するために必要な情報を表示する。タッチパネル１１２は、抵抗膜式タッチパネル、静電容量式タッチパネル等である。表示モジュール１１は、図６に示すように、フレキシブル配線基板１３とフレキシブル配線基板１３の先端部に設けられたコネクタ１２とを介して制御基板８に接続されている。フレキシブル配線基板１３は、例えばＦＰＣ基板である。表示モジュール１１は、制御基板８からコネクタ１２とフレキシブル配線基板１３とを介して入力される画像情報に基づいて、ディスプレイ１１１に各種情報を表示する。また、ユーザは、タッチパネル１１２をタッチ操作することにより、その操作内容に応じた制御信号が信号線Ｌを通じて空気調和機へ送信される。また、ディスプレイ１１１の後面には、補強用の金属フレーム１１３が取り付けられている。
【００１２】
制御基板８は、表示モジュール１１へ制御信号を出力することによりディスプレイ１１１に情報を表示させる。また、制御基板８は、ユーザがタッチパネル１１２に対して行った操作に応じて制御信号を生成して空気調和機へ出力する。制御基板８は、図５に示すように、基板８０と、コンデンサ４１と、発光部４７と、サーミスタ９１と、を有する。発光部４７は、例えばＬＥＤ（Light Emitting Diode）である。また、制御基板８の前面には、図２に示すように、制御用集積回路を含む複数の電子部品４３が実装されている。制御基板８は、操作機器本体１に電源が投入されると、前述の発光部４７を点灯させる。更に、図６に示すように、基板８０の−Ｚ方向側の後面には、コネクタ４２が実装されている。コネクタ４２は、後述する内部信号線Ｌ２１、Ｌ２２の先端部に接続されたコネクタ３１に接続されるものである。サーミスタ９１は、操作機器１００の周囲温度を計測するためのものである。制御基板８は、サーミスタ９１の出力に基づいて、操作機器１００の周囲温度を算出する。そして、制御基板８は、算出した周囲温度を示す情報をディスプレイ１１１に表示させるための制御信号を生成して表示モジュール１１へ出力する。基板８０は、絶縁体基板上に導体パターンを形成したものである。絶縁体基板は、例えばガラスエポキシ樹脂製の基板である。基板８０には、切欠部８１４と、後述の突起１０１ｂが挿通される貫通孔８２１、８２２と、後述の螺子９５が挿通される３つの貫通孔８１と、が形成されている。コンデンサ４１は、基板８０の切欠部８１４の内側に配置された状態で基板８０に電気的に接続されている。制御基板８は、ユーザがタッチパネル１１２に対して行った操作に応じた情報がフレキシブル配線基板１３を介して入力され、入力された情報に基づいて生成した制御信号を、コネクタ４２および信号線Ｌを介して空気調和機へ送信する。
【００１３】
筐体１０は、図２に示すように、内側に表示モジュール１１および制御基板８を収容する。筐体１０は、図７に示すように、扁平でありその厚さ方向（Ｚ軸方向）の一面である後面が開放された箱状であり、Ｚ軸方向から見た形状が矩形状である。筐体１０の材料は、非導電性の樹脂である。筐体１０は、底壁１０１と、底壁１０１の周部から底壁１０１と直交する後方、即ち−Ｚ方向へ延出する側壁１３１、１３２、１３３、１３４と、を有する。底壁１０１における表示モジュール１１のディスプレイ１１１に対向する部分には、平面視矩形状の開口部１０１ｆが設けられている。これにより、表示モジュール１１のディスプレイ１１１に表示される画像が、筐体１０の前方から視認可能となっている。
【００１４】
側壁１３１、１３２は、底壁１０１の±Ｘ方向の周部それぞれから後方へ延出する。側壁１３３、１３４は、底壁１０１の±Ｚ方向の周部それぞれから後方へ延出する。底壁１０１における開口部１０１ｆの＋Ｙ方向側に位置する部分には、図１に示すように、後述する制御基板８に設けられた発光部４７から放射される光を外方へ透過させるための窓部１０１ａが形成されている。また、底壁１０１の後面における窓部１０１ａに対応する部位には、図７に示すように、前述の発光部４７から放射される光を窓部１０１ａへ導光するための導光部材１７が嵌入される凹部１２４ａを有するリブ１２４が設けられている。凹部１２４ａの内部は、窓部１０１ａに連通している。また、底壁１０１の後面側における開口部１０１ｆのＸ軸方向における両側の外周部には、直線状のリブ１２１、１２２が設けられている。更に、底壁１０１の後面側には、開口部１０１ｆの−Ｙ方向側の領域の外周部をコ字状に囲繞するリブ１２３が設けられている。そして、これらのリブ１２１、１２２、１２３の内側に表示モジュール１１が配置される。また、リブ１２１には、表示モジュール１１が後面側、即ち、−Ｚ方向側へ押圧された場合において制御基板８の後面側への移動を抑制するための保持爪１２１ａが連続一体に設けられている。底壁１０１の後面には、制御基板８の位置決めのための２つの突起１０１ｂと、制御基板８を筐体１０に固定する際に用いられる螺子孔１０１ｃが設けられたボス１０１ｄと、が設けられている。また、底壁１０１における開口部１０１ｆの−Ｙ方向側に位置する部分の後面には、筐体１０内の空間をサーミスタ９１が配置される空間Ｓ１０１とそれ以外の空間とに区切るための隔壁１０１ｅが立設されている。また、筐体１０の底壁１０１には、意匠パネル１４、１５が取り付けられる段部１２５が設けられている。筐体１０の側壁１３４には、筐体１０をベース部材１８に係合させるための２つの孔１３４ｂと、筐体１０内の空間Ｓ１０１に連通する通気孔１３４ａと、が設けられている。側壁１３３には、信号線Ｌを筐体１０内に導入するための導入用切欠部１３３ｃと、側壁１３３における導入用切欠部１３３ｃのＸ軸方向における両側に設けられ−Ｙ方向に突出し、ベース部材１８に係合する２つの係合片１３３ｄと、が設けられている。
【００１５】
側壁１３１の長手方向における両端部には、側壁１３１の＋Ｚ方向側の端部から底壁１０１の＋Ｘ方向側の端部に亘って形成された孔１３１ａが設けられている。また、側壁１３１の３箇所それぞれにおける短手方向の中央部には、孔１３１ｂが設けられている。側壁１３２の長手方向における＋Ｙ方向側の端部には、側壁１３２の＋Ｚ方向側の端部から底壁１０１の−Ｘ方向側の端部に亘って形成された孔１３２ａが設けられている。また、側壁１３２の３箇所それぞれにおける短手方向の中央部には、孔１３２ｂが設けられている。これらの孔１３１ａ、１３１ｂ、１３２ａ、１３２ｂは、意匠パネル１４、１５を筐体１０に着脱自在に取り付けるためのものである。更に、側壁１３２の長手方向における−Ｙ方向側の端部には、側壁１３２から底壁１０１の−Ｘ方向側の端部に亘って形成された開口部１３２ｃが設けられている。この開口部１３２ｃは、操作機器１００が設置されている場所の温度を検知するために筐体１０内の空間Ｓ１０１に操作機器１００の周囲の空気を導入するためのものである。
【００１６】
意匠パネル１４、１５は、いずれも断面Ｌ字状の長尺の金属製の部材であり、筐体１０の外側に露出した状態で筐体１０の外側に固定されている。意匠パネル１４、１５は、例えば押出成形法により形成される。意匠パネル１４は、長尺の矩形板状の主片１４１と、長尺の矩形板状であり主片１４１の短手方向における一端縁から主片１４１の厚さ方向へ延出する側片１４２と、を有する。主片１４１の長手方向における両端部それぞれには、筐体１０の側壁１３１に設けられた孔１３１ａに係合する係合爪１４１ａが設けられている。係合爪１４１ａの先端には、底壁１０１の厚さ方向に直交する方向へ延出するフック１４１ｂが設けられている。また、側片１４２の３箇所には、図８Ａに示すように、筐体１０の側壁１３１に設けられた孔１３１ｂに係合する係合爪１４２ａが設けられている。係合爪１４２ａの先端には、側壁１３１の厚さ方向に直交する方向へ延出するフック１４２ｂが設けられている。図８Ｂに示すように、係合爪１４１ａの先端のフック１４１ｂが、孔１３１ａにおける底壁１０１側の外周部に係合する。また、図８Ｃに示すように、係合爪１４２ａの先端のフック１４２ｂが、側壁１３１における孔１３１ｂの−Ｚ方向側の外周部に係合する。
【００１７】
図７に戻って、意匠パネル１５は、長尺の矩形板状の主片１５１と、長尺の矩形板状であり主片１５１の短手方向における一方の端縁から主片１５１の厚さ方向へ延出し、通気孔１５ａが設けられた側片１５２と、を有する。通気孔１５ａは、意匠パネル１５が筐体１０に取り付けられた状態において、筐体１０の側壁１３２に設けられた開口部１３２ｃに対向する部位に設けられている。また、主片１５１の長手方向における両端部それぞれには、筐体１０の側壁１３２に設けられた孔１３２ａおよび開口部１３２ｃに係合する係合爪１５１ａが設けられている。係合爪１５１ａの先端には、底壁１０１の厚さ方向に直交する方向へ延出するフック１５１ｂが設けられている。また、側片１５２の３箇所には、筐体１０の側壁１３２に設けられた孔１３２ｂに係合する係合爪１５２ａが設けられている。係合爪１５２ａの先端には、側壁１３２の厚さ方向に直交する方向へ延出するフック１５２ｂが設けられている。係合爪１５１ａ、１５２ａは、係合爪１４１ａ、１４２ａと同様にして孔１３２ａ、１３２ｂおよび開口部１３２ｃに係合する。
【００１８】
保護シート２１は、図２に示すように、表示モジュール１１と制御基板８との間に介在し、表示モジュール１１の後面側に設けられた金属フレーム１１３と制御基板８に形成された導体パターンとの短絡を防止するためのものである。保護シート２１の材料は、可撓性を有する非導電性材料である。保護シート２２は、表示モジュール１１および制御基板８が筐体１０内に収納された状態で、筐体１０の開放部分から制御基板８の後面側を覆っている。保護シート２２の材料は、保護シート２１の材料と同様である。保護シート２２は、制御基板８の導体パターンまたは各種電子部品４３を静電気から保護したり、ユーザが操作機器１００を設置する際に制御基板８に接触してしまうことを防止したりする。保護シート２２には、図９に示すように、制御基板８のコネクタ４２が挿通される開口部２０１ａと、スリット２０１ｃと、が設けられている。スリット２０１ｃが設けられていることにより、基板８０の後面側におけるスリット２０１ｃに対向する部分に実装された背高の電子部品４３が保護シート２２により圧迫されることが防止される。また、保護シート２２には、筐体１０の突起１０１ｂが挿通される２つの貫通孔２０１ｅと、螺子９５が挿通される３つの孔（図示せず）と、が設けられている。この保護シート２２は、図２に示すように、制御基板８における保護シート２１に対向する面とは反対側の面を覆うように配置されている。
【００１９】
ベース部材１８は、図１０に示すように、前面側、即ち、＋Ｚ方向側が開放された扁平な矩形板状である。ベース部材１８は、平面視における外形が矩形状の底壁１８ａと、底壁１８ａの±Ｘ方向の端部から前面側へ延出する側壁１８ｂと、底壁１８ａの上端部、即ち、＋Ｙ方向の端部から前方へ延出する側壁１８ｃと、底壁１８ａの下端部、即ち、−Ｙ方向の端部から前面側へ延出する側壁１８ｄと、を有する。また、ベース部材１８は、操作機器１００内へ信号線Ｌを導入するための導入空間Ｓ１が内側に形成された案内部１８ｅを有する。側壁１８ｃには、筐体１０をベース部材１８に取り付ける際、筐体１０の２つの係合片１３３ｄそれぞれが係合する窪み部１８３が設けられている。更に、ベース部材１８は、信号線Ｌを保持するための配線保持部１８１ａと、端子板３２と、を有する。信号線Ｌの先端部からは、２つの分岐線Ｌ１１、Ｌ１２が導出されており、２つの分岐線Ｌ１１、Ｌ１２それぞれの先端部が、端子板３２に接続されている。また、各端子板３２には、分岐線Ｌ１１、Ｌ１２の先端部を端子板３２に電気的に接続するための端子螺子（図示せず）が螺合する螺子孔３２ａが設けられている。また、各端子板３２には、ベース部材１８の内側に配置された内部信号線Ｌ２１、Ｌ２２それぞれの一端部が接続されている。内部信号線Ｌ２１、Ｌ２２と端子板３２とは、半田、銀ペースト等の導電部材により電気的に接続されている。また、内部信号線Ｌ２１、Ｌ２２の他端部は、それぞれコネクタ３１に接続されている。このコネクタ３１は、前述の基板８０に実装されたコネクタ４２と電気接続可能となっている。また、ベース部材１８は、内部信号線Ｌ２１、Ｌ２２を纏めて保持する保持部１８４と、コネクタ３１を基板８０に実装されたコネクタ４２と対向する位置に位置決め固定するための保持爪１８５と、を有する。また、ベース部材１８は、表示モジュール１１が後面側（−Ｚ方向側）へ押圧された場合における制御基板８の後面側への移動を抑制するために、制御基板８側へ突出する７つの突出部１８２を有する。
【００２０】
ここで、操作機器１００は、操作機器１００を設置するユーザの手間を軽減するために、操作機器本体１とベース部材１８とが互いに組み合わされていない状態で出荷されることが好ましい。この場合、ユーザは、まずベース部材１８を壁Ｗに固定してベース部材１８に信号線Ｌを接続した後、ベース部材１８のコネクタ３１と制御基板８のコネクタ４２とを互いに電気的に接続させる形で、ベース部材１８に操作機器本体１を組み合わせる。また、筐体１０の側壁１３３における導入用切欠部１３３ｃが形成される予定の部分は、側壁１３３における他の部分に比べて肉厚が薄い薄肉部となっている。これにより、ユーザは、信号線Ｌを操作機器１００の上側、即ち、＋Ｙ方向側から操作機器１００内へ導入する施工を行う際、筐体１０の側壁１３３の薄肉部を信号線Ｌの太さに応じて適宜切除することにより導入用切欠部１３３ｃを形成することができる。また、操作機器１００が壁Ｗに設置された状態では、図２に示すように、筐体１０の−Ｚ方向側の開放部分１０ａ全体がベース部材１８で覆われた状態となる。
【００２１】
次に、操作機器本体１の組立方法について説明する。まず、図７に示すように、筐体１０の＋Ｘ方向側から意匠パネル１４を筐体１０の側壁１３１に近づける。そして、側壁１３１に設けられた孔１３１ａに意匠パネル１４の係合爪１４１ａの先端部を当接させるとともに（図７の矢印ＡＲ４１参照）、側壁１３１に設けられた孔１３１ｂに意匠パネル１４の係合爪１４２ａを当接させる（図７の矢印ＡＲ４２参照）。このとき、意匠パネル１４の主片１４１が筐体１０の段部１２５に載置されるとともに、図８（Ｃ）に示す係合爪１４２ａの先端部に設けられたフック１４２ｂが孔１３１ｂの−Ｚ側の外周部に当接した状態となる。この状態で、意匠パネル１４を−Ｘ方向側へ押し込むと係合爪１４２ａの先端部が＋Ｚ方向側へ撓み、フック１４２ｂが孔１３１ｂの−Ｚ方向側の内壁１３１ｃに乗り上げた状態となる。そして、意匠パネル１４を更に−Ｘ方向側へ押し込むことによりフック１４２ｂが側壁１３１の内側に移動すると、係合爪１４２ａの復元力によりフック１４２ｂが側壁１３１の内面における孔１３１ｂの外周部に係合した状態となる。このとき、意匠パネル１４の主片１４１は、段部１２５内において−Ｘ方向へ摺動し、図８（Ｂ）に示すように、意匠パネル１４の係合爪１４１ａのフック１４１ｂは、孔１３１ａの底壁１０１に対応する部分の−Ｘ方向側の外周部に係合した状態となる。このようにして、意匠パネル１４は、筐体１０に固定される。
【００２２】
同様に、筐体１０の−Ｘ方向側から意匠パネル１５を筐体１０の側壁１３２に近づける。そして、側壁１３２に設けられた孔１３２ａおよび開口部１３２ｃに意匠パネル１５の係合爪１５１ａの先端部を当接させるとともに（図７の矢印ＡＲ５１参照）、側壁１３２に設けられた孔１３２ｂに意匠パネル１５の係合爪１５２ａを当接させる（図７の矢印ＡＲ５２参照）。このとき、意匠パネル１５の主片１５１が筐体１０の段部１２５に載置されるとともに、係合爪１５２ａの先端部に設けられたフック１５２ｂが孔１３１ｂの−Ｚ側の外周部に当接した状態となる。この状態で、意匠パネル１５を＋Ｘ方向側へ押し込むと係合爪１５２ａの先端部が＋Ｚ方向側へ撓み、フック１５２ｂが孔１３２ｂの−Ｚ方向側の内壁に乗り上げた状態となる。そして、意匠パネル１５を更に＋Ｘ方向側へ押し込むことによりフック１５２ｂが側壁１３２の内側に移動すると、係合爪１５２ａの復元力によりフック１５２ｂが側壁１３２の内面における孔１３２ｂの外周部に係合した状態となる。このとき、意匠パネル１５の主片１５１は、段部１２５に面接触した状態で＋Ｘ方向へ摺動し、意匠パネル１５の係合爪１５１ａのフック１５１ｂは、孔１３２ａおよび開口部１３２ｃの底壁１０１に対応する部分の＋Ｘ方向側の外周部に係合された状態となる。このようにして、意匠パネル１５は、筐体１０に固定される。
【００２３】
次に、表示モジュール１１を、その周部が底壁１０１に当接するように、筐体１０内におけるリブ１２１、１２２、１２３の内側に配置する。このとき、表示モジュール１１が保持爪１２１ａに接触しないように、表示モジュール１１の周部を底壁１０１と保持爪１２１ａとの間に嵌入させる。続いて、図２に示すように、表示モジュール１１の後面側に、保護シート２１を載置する。保護シート２１の材料は、保護シート２２と同様に絶縁性材料である。これにより、表示モジュール１１の後面側に設けられた金属フレーム１１３と制御基板８に形成された導体パターンとの短絡が防止される。その後、筐体１０の底壁１０１のリブ１２４の凹部１２４ａに導光部材１７を嵌入させる。
【００２４】
次に、表示モジュール１１および保護シート２１の後面側に、制御基板８を載置する。このとき、制御基板８の周部を、保持爪１２１ａに接触しないように、表示モジュール１１と保持爪１２１ａとの間に嵌入させる。また、図５および図６に示す制御基板８の基板８０に設けられた貫通孔８２１、８２２それぞれに、図７に示す筐体１０に設けられた突起１０１ｂを挿通させる。続いて、図９に示すように、制御基板８の後面側に、保護シート２２を載置する。このとき、保護シート２２を、保持爪１２１ａに接触しないように、制御基板８の後面側に載置する。また、保護シート２２に設けられた２つの貫通孔２０１ｅそれぞれに、筐体１０に設けられた突起１０１ｂを挿通させる。これにより、図５および図６に示す基板８０に設けられた３つの貫通孔８１それぞれの位置と、保護シート２２に設けられた３つの貫通孔（図示せず）それぞれの位置と、筐体１０の３つの螺子孔１０１ｃの位置とが互いに一致した状態で、基板８０および保護シート２２の位置が固定される。従って、制御基板８および保護シート２２を、３つの螺子９５を用いて筐体１０へ容易に螺子止め固定することができる。
【００２５】
次に、操作機器１００を壁Ｗへ取り付ける方法について説明する。まず、図１１に示すように、ベース部材１８を螺子１９により壁Ｗに取り付ける。次に、図１１の矢印ＡＲ１に示すように、筐体１０の係合片１３３ｄを、ベース部材１８の窪み部１８３に係合させる。これにより、図１２に示すように、操作機器本体１が、ベース部材１８に懸架された状態となる。その後、図１２の矢印ＡＲ２に示すように、筐体１０を、ベース部材１８の窪み部１８３に係合された係合片１３３ｄを基点として旋回させると、筐体１０の下側の側壁１３４の内側がベース部材１８のフック１８７の一部に当接する。それから更に、筐体１０を矢印ＡＲ２の方向へ旋回させると、図１２の矢印ＡＲ３に示すように、フック１８７の先端部１８７ａが上方へ撓む。そして、図１３に示すように、筐体１０の孔１３４ｂにベース部材１８のフック１８７の先端部１８７ａが係合すると、操作機器本体１がベース部材１８に固定される。
【００２６】
次に、本実施の形態に係る操作機器１００について、筐体１０から既存の意匠パネル１４、１５を取り外した後、新たな意匠パネルを両面テープを介して筐体１０に取り付ける方法について説明する。まず、操作機器１００が壁Ｗに設置された状態で、意匠パネル１４、１５を図１４の矢印ＡＲ７１に示す方向へ回転させる。このとき、意匠パネル１４、１５の係合爪１４２ａ，１５２ａが図１４の矢印ＡＲ７２に示す方向へ撓むことにより、意匠パネル１４、１５を筐体１０から離脱させる。次に、新たに意匠パネル２０１４、２０１５を準備する。ここで、意匠パネル２０１４は、意匠パネル１４と同様に長尺の主片１４１と長尺の側片１４２とを有する。また、意匠パネル２０１５は、意匠パネル１５と同様に長尺の主片１５１と長尺の側片１５２とを有する。次に、図１５に示すように、筐体１０の＋Ｘ方向側から意匠パネル２０１４およびテープ状の接着部材２０４１を筐体１０の側壁１３１に近づけて筐体１０の側壁１３１に当接させる。同様に、筐体１０の−Ｘ方向側から意匠パネル２０１５および接着部材２０４１を筐体１０の側壁１３２に近づけて筐体１０の側壁１３２に当接させる。このとき、意匠パネル２０１４、２０１５を筐体１０に向かって十分な力で押圧することにより、意匠パネル２０１４、２０１５が筐体１０から脱落しにくくなる。これにより、意匠パネル２０１５は、図１６に示すように、接着部材２０４１を介して筐体１０の側壁１３２に接着固定される。また、意匠パネル２０１４も、同様に、筐体１０の側壁１３１に接着部材２０４１を介して接着固定される。このように、操作機器１００は、一度壁Ｗに設置された後において、意匠パネル１４、１５を例えば意匠パネル２０１４、２０１５に交換することにより、外観が異なる操作機器２００に置き換えることができる。
【００２７】
以上説明したように、本実施の形態に係る操作機器１００によれば、意匠パネル１４、１５が筐体１０の外壁に着脱自在に取り付けられている。これにより、意匠パネル１４、１５を異なる外観のものに取り換えることができるので、操作機器１００の設置後において操作機器１００の外観をその設置場所またはユーザの好みに応じた外観に変更することができるという利点がある。
【００２８】
例えば意匠パネル１４、１５として、金属製の意匠パネルまたは表面に金属薄膜を転写または溶着された樹脂製の意匠パネルを採用することにより、操作機器１００の外観に高級感を持たせることができる。或いは、意匠パネル１４、１５として、操作機器１００が設置される壁Ｗの色に近い色を有する意匠パネルを採用することにより、操作機器１００が壁Ｗに設置された状態で操作機器１００の外観を目立たないものにすることができる。更に、意匠パネル１４、１５として、操作機器１００が設置される壁Ｗの色と大きく異なる色を有する意匠パネルを採用することにより、操作機器１００を目立たせてユーザの目に留まり易い外観にすることもできる。
【００２９】
また、本実施の形態に係る筐体１０は、側壁１３１、１３２に設けられた孔１３１ａ，１３１ｂ，１３２ａ，１３２ｂおよび開口部１３２ｃを有する。また、意匠パネル１４、１５は、筐体１０に設けられた孔１３１ａ，１３１ｂ，１３２ａ，１３２ｂおよび開口部１３２ｃに対向する部位に突設された係合爪１４１ａ、１４２ａ、１５１ａ、１５２ａを有する。係合爪１４１ａ、１４２ａ、１５１ａ、１５２ａには、先端に側壁１３１、１３２の厚さ方向に直交する方向へ延出するフック１４１ｂ、１４２ｂ、１５１ｂ、１５２ｂが設けられている。そして、孔１３１ａ，１３１ｂ，１３２ａ，１３２ｂおよび開口部１３２ｃに係合爪１４１ａ、１４２ａ、１５１ａ、１５２ａを嵌入してから意匠パネル１４、１５を側壁１３１、１３２の外面に沿って摺動させると、フック１４１ｂ、１４２ｂ、１５１ｂ、１５２ｂが、側壁１３１、１３２における孔１３１ａ，１３１ｂ，１３２ａ，１３２ｂおよび開口部１３２ｃの外周部に係合する。これにより、ユーザは、意匠パネル１４、１５を側壁１３１、１３２に沿って摺動させるだけで、意匠パネル１４，１５を着脱することができるので、意匠パネル１４、１５の交換を容易に行うことができる。
【００３０】
以上、本発明の実施の形態について説明したが、本発明は実施の形態によって限定されるものではない。例えば、図１７に示す操作機器本体３００１のように、意匠パネル３０１４の主片３１４１の係合爪３１４１ａが筐体３０１０の底壁３１０１の孔３１０２ａに係合し、意匠パネル３０１５の主片３１５１の係合爪３１５１ａが筐体３０１０の底壁３１０１の孔３１０２ａに係合するものであってもよい。なお、図１７において実施の形態と同様の構成については、図７と同一の符号を付している。
【００３１】
筐体３０１０は、その底壁３１０１における−Ｘ方向側の端部におけるＹ軸方向の両端部それぞれに孔３１０２ａが設けられ、底壁３１０１における＋Ｘ方向側の端部におけるＹ軸方向の両端部それぞれに孔３１０２ａが設けられている。また、筐体３０１０の底壁３１０１のＸ軸方向における両端部それぞれのＹ軸方向における中央部には、先端部に突起３１０２ｃが設けられた第１可撓片である細長の可撓片３１０２ｂが設けられている。筐体３０１０の側壁３１３１には、孔３１３１ｂが設けられている。また、筐体３０１０の側壁３１３２にも孔３１３２ｂが設けられている。
【００３２】
意匠パネル３０１５は、長尺の矩形板状の主片３１５１と、長尺の矩形板状であり主片３１５１の短手方向における一端縁から主片３１５１の厚さ方向へ延出する側片３１５２と、を有する。図１８Ａに示すように、主片３１５１の長手方向における両端部それぞれには、筐体１０の底壁３１０１の孔３１０２ａに係合する係合爪３１５１ａが設けられている。また、主片３１５１の長手方向における中央部には、筐体３０１０の可撓片３１０２ｂの先端部に設けられた突起３１０２ｃが嵌入する凹部３１５１ｃが設けられている。図１８Ｂに示すように、係合爪３１５１ａの先端のフック３１５１ｂが、底壁３１０１における孔３１０２ａの＋Ｚ方向側の外周部の薄肉部３１０２ｅに係合する。可撓片３１０２ｂの先端部の突起３１０２ｃは、図１８Ｃに示すように、意匠パネル３０１５の主片３１５１に設けられた凹部３１５１ｃに嵌入される。図１７に戻って、意匠パネル３０１４も、長尺の矩形板状の主片３１４１と、長尺の矩形板状であり主片３１４１の短手方向における一端縁から主片３１４１の厚さ方向へ延出する側片３１４２と、を有する。図１８Ａに示すように、主片３１４１の長手方向における両端部それぞれには、筐体３０１０の底壁３１０１に設けられた孔３１０２ａに係合する係合爪３１４１ａが設けられている。また、主片３１４１の長手方向における中央部には、筐体３０１０の可撓片３１０２ｂの先端部に設けられた突起３１０２ｃが嵌入する凹部３１４１ｃが設けられている。
【００３３】
また、図１９Ａに示すように、側片３１４２の２箇所には、筐体３０１０の側壁３１３１に設けられた孔３１３１ｂに係合する係合爪３１４２ａが設けられている。図１９Ｂに示すように、係合爪３１４２ａの先端部のフック３１４２ｂが、筐体３０１０の側壁３１３１における孔３１３１ｂの＋Ｙ方向側の外周部に係合する。図１７に戻って、側片３１５２の２箇所にも、筐体３０１０の側壁３１３２に設けられた孔３１３２ｂに係合する係合爪３１５２ａが設けられている。そして、係合爪３１５２ａの先端部のフック３１５２ｂが、筐体３０１０の側壁３１３２における孔３１３２ｂの＋Ｙ方向側の外周部に係合する。
【００３４】
次に、本変形例に係る操作機器本体３００１の組立方法について説明する。まず、図１７に示すように、底壁３１０１に設けられた孔３１０２ａに意匠パネル３０１５の係合爪３１５１ａを嵌入させるとともに、側壁３１３２に設けられた孔３１３２ｂに意匠パネル３０１５の係合爪３１５２ａを嵌入させる。そして、意匠パネル３０１５の主片３１５１が底壁３１０１に面接触し側片３１５２が側壁３１３２に面接触した状態にする。このとき、可撓片３１０２ｂの突起３１０２ｃの先端部が意匠パネル３０１５の主片３１５１における凹部３１５１ｃ以外の部位に当接した状態で、可撓片３１０２ｂが図１８Ｃの矢印ＡＲ８に示すように、−Ｚ方向側へ撓んだ状態となっている。次に、意匠パネル３０１５を底壁３１０１および側壁３１３２に面接触した状態で＋Ｙ方向へ摺動させると、係合爪３１５１ａの先端部のフック３１５１ｂが、底壁３１０１における孔３１０２ａの＋Ｚ方向側の外周部に係合し、係合爪３１５２ａの先端部のフック３１５２ｂが、筐体３０１０の側壁３１３２における孔３１３２ｂの＋Ｙ方向側の外周部に係合する。同時に、可撓片３１０２ｂの先端部の突起３１０２ｃが、主片３１５１に設けられた凹部３１５１ｃに嵌入される。これにより、意匠パネル３０１５が筐体３０１０に固定される。
【００３５】
続いて、底壁３１０１に設けられた孔３１０２ａに意匠パネル３０１４の係合爪３１４１ａを嵌入させるとともに、側壁３１３１に設けられた孔３１３１ｂに意匠パネル３０１４の係合爪３１４２ａを嵌入させる。そして、意匠パネル３０１４の主片３１４１が底壁３１０１に面接触し側片３１４２が側壁３１３１に面接触した状態にする。このとき、可撓片３１０２ｂの突起３１０２ｃの先端部が意匠パネル３０１４の主片３１４１における凹部３１４１ｃ以外の部位に当接した状態で、可撓片３１０２ｂが−Ｚ方向側へ撓んだ状態となっている。その後、意匠パネル３０１４を底壁３１０１および側壁３１３１に面接触した状態で＋Ｙ方向へ摺動させると、係合爪３１４１ａの先端部のフック３１４１ｂが、底壁３１０１における孔３１０２ａの＋Ｚ方向側の外周部に係合し、係合爪３１４２ａの先端部のフック３１４２ｂが、筐体３０１０の側壁３１３１における孔３１３１ｂの＋Ｙ方向側の外周部に係合する。同時に、可撓片３１０２ｂの先端部の突起３１０２ｃが、主片３１４１に設けられた凹部３１４１ｃに嵌入される。これにより、意匠パネル３０１４が筐体３０１０に固定される。
【００３６】
本構成によれば、意匠パネル３０１４、３０１５が、それぞれ筐体３０１０の底壁３１０１および側壁３１３１、３１３２において固定されているので、意匠パネル３０１４、３０１５が筐体３０１０に堅固に固定されている。従って、意匠パネル３０１４、３０１５の筐体３０１０からの脱落が抑制される。
【００３７】
実施の形態では、筐体１０の側壁１３１、１３２に、意匠パネル１４、１５の係合爪１４１ａ、１４２ａ、１５１ａ、１５２ａが係合する孔１３１ａ、１３１ｂ、１３２ａ、１３２ｂおよび開口部１３２ｃが設けられた操作機器本体１の例について説明した。但し、これに限らず、例えば筐体が、その底壁または側壁における意匠パネルの係合爪が係合する孔の外周部から孔の内側へ延出する第２可撓片を有するものであってもよい。
【００３８】
例えば図２０に示すように、本変形例に係る操作機器本体４００１では、筐体４０１０の底壁４１０１のＸ軸方向の両端部それぞれにおけるＹ軸方向の両端部に、孔４１０２ａが設けられている。そして、筐体４０１０は、底壁４１０１における孔４１０２ａの−Ｙ方向側の外周部から孔４１０２ａの内側へ延出する第２可撓片である細長の可撓片４１０２ｂを有する。また、筐体４０１０の側壁４１３１のＹ軸方向における中央部には、先端部に突起４１３１ｂを有する第１可撓片である細長の可撓片４１３１ａが設けられている。更に、筐体４０１０の側壁４１３２のＹ軸方向における中央部にも、先端部に突起４１３２ｂを有する第１可撓片である細長の可撓片４１３２ａが設けられている。
【００３９】
意匠パネル４０１５は、長尺の矩形板状の主片４１５１と、長尺の矩形板状であり主片４１５１の短手方向における一端縁から主片４１５１の厚さ方向へ延出する側片４１５２と、を有する。図２１Ａに示すように、主片４１５１の長手方向における両端部それぞれには、筐体４０１０の底壁４１０１の孔４１０２ａに係合する係合爪４１５１ａが設けられている。図２１Ｂに示すように、係合爪４１５１ａの先端のフック４１５１ｂが、底壁４１０１における孔４１０２ａの＋Ｚ方向側の外周部に係合する。そして、可撓片４１０２ｂの先端部は、フック４１５１ｂに−Ｚ方向側から当接している。図２０に戻って、意匠パネル４０１４も、長尺の矩形板状の主片４１４１と、長尺の矩形板状であり主片４１４１の短手方向における一端縁から主片４１４１の厚さ方向へ延出する側片４１４２と、を有する。図２１Ａに示すように、主片４１４１の長手方向における両端部それぞれには、筐体４０１０の底壁４１０１に設けられた孔４１０２ａに係合する係合爪４１４１ａが設けられている。ここで、係合爪４１４１ａの先端のフック４１４１ｂが、底壁４１０１における孔４１０２ａの＋Ｚ方向側の外周部に係合する。そして、可撓片４１０２ｂの先端部は、フック４１４１ｂに−Ｚ方向側から当接している。
【００４０】
また、図２２Ａに示すように、側片４１４２における中央部には、凹部４１４２ａが設けられている。そして、図２２Ｂに示すように、凹部４１４２ａには、筐体４０１０の側壁４１３１の可撓片４１３１ａの先端に設けられた突起４１３１ｂが嵌入する。図２０に戻って、側片４１５２には、筐体４０１０の側壁４１３２に設けられた可撓片４１３２ａが有する突起４１３２ｂが嵌入する凹部４１５２ａが設けられている。
【００４１】
次に、本変形例に係る操作機器本体４００１の組立方法について説明する。まず、図２０に示すように、筐体４０１０の底壁４１０１に設けられた可撓片４１０２ｂを−Ｚ方向側へ押し込むように意匠パネル４０１４の係合爪４１４１ａを底壁４１０１に設けられた孔４１０２ａに嵌入させる。そして、意匠パネル４０１４の主片４１４１を筐体４０１０の底壁４１０１に面接触させるとともに、側片４１４２を側壁４１３１に面接触させる。このとき、可撓片４１３１ａの突起４１３１ｂの先端部が意匠パネル４０１４の側片４１４２における凹部４１４２ａ以外の部位に当接した状態で、可撓片４１３１ａが−Ｘ方向側へ撓んだ状態となっている。次に、意匠パネル４０１４を筐体４０１０の底壁４１０１および側壁４１３１に面接触させた状態で、意匠パネル４０１４を＋Ｙ方向へ摺動させると、係合爪４１４１ａの先端のフック４１４１ｂ（図２１Ａ参照）が、底壁４１０１における孔４１０２ａの＋Ｙ方向側の外周部に係合する。このとき、可撓片４１０２ｂの先端部が、係合爪４１４１ａの基端部に嵌入されるとともに、可撓片４１３１ａの先端の突起４１３１ｂが、意匠パネル４０１４の側片４１４２に設けられた凹部４１４２ａに嵌入される。これにより、意匠パネル４０１４が筐体４０１０に固定される。
【００４２】
続いて、筐体４０１０の底壁４１０１に設けられた可撓片４１０２ｂを−Ｚ方向側へ押し込むように意匠パネル４０１５の係合爪４１５１ａを底壁４１０１に設けられた孔４１０２ａに嵌入させる。そして、意匠パネル４０１５の主片４１５１を筐体４０１０の底壁４１０１に面接触させるとともに、側片４１５２を側壁４１３２に面接触させる。このとき、可撓片４１３２ａの突起４１３２ｂの先端部が意匠パネル４０１５の側片４１５２における凹部４１５２ａ以外の部位に当接した状態で、可撓片４１３２ａが＋Ｘ方向側へ撓んだ状態となっている。次に、意匠パネル４０１５を筐体４０１０の底壁４１０１および側壁４１３２に面接触させた状態で、意匠パネル４０１５を＋Ｙ方向へ摺動させると、係合爪４１５１ａの先端のフック４１５１ｂが、底壁４１０１における孔４１０２ａの＋Ｙ方向側の外周部に係合する。このとき、可撓片４１０２ｂの先端部が、係合爪４１５１ａの基端部に嵌入されるとともに、可撓片４１３２ａの先端の突起４１３２ｂが、意匠パネル４０１５の側片４１５２に設けられた凹部４１５２ａに嵌入される。これにより、意匠パネル４０１５が筐体４０１０に固定される。
【００４３】
本構成によれば、意匠パネル４０１４の係合爪４１４１ａの先端のフック４１４１ｂが、底壁４１０１における孔４１０２ａの外周部に係合したときに、可撓片４１０２ｂの先端部が、係合爪４１４１ａの基端部に嵌入される。また、意匠パネル４０１５の係合爪４１５１ａの先端のフック４１５１ｂが、底壁４１０１における孔４１０２ａの外周部に係合したときに、可撓片４１０２ｂの先端部が、係合爪４１５１ａの基端部に嵌入される。これにより、意匠パネル４０１４、４０１５の主片４１４１、４１５１が、筐体４０１０の底壁４１０１に堅固に固定されるので、意匠パネル４０１４、４０１５の筐体４０１０からの脱落が抑制される。
【００４４】
実施の形態において、例えば図２３に示す操作機器５００のように、意匠パネル５０１４の−Ｚ方向側の端部の２箇所に、切欠部５１４２ａが設けられているものであってもよい。なお、図２３において、実施の形態と同様の構成については、図１３と同一の符号を付している。この場合、ユーザは、意匠パネル５０１４を筐体１０から取り外す際、指を切欠部５１４２ａに引っ掛けることができるので、意匠パネル５０１４の取り外しが容易になるという利点がある。
【００４５】
実施の形態では、タッチパネル１１２を有する表示モジュール１１を備える操作機器１００について説明したが、操作機器１００は、タッチパネル１１２を有する表示モジュール１１を備えるものに限定されない。例えば、表示モジュールが、ディスプレイと物理キーとを有するものであってもよい。
【００４６】
実施の形態では、意匠パネル１４、１５の係合爪１４１ａ、１４２ａ、１５１ａ、１５２ａが、筐体１０に設けられた孔１３１ａ、１３１ｂ、１３２ａ、１３２ｂおよび開口部１３２ｃに係合する例について説明した。但し、意匠パネルの係合爪が係合する部分は、孔に限定されるものではなく、例えば凹部であってもよい。また、前述の変形例において、先端部に突起３１０２ｃ、４１３１ｂを有する可撓片３１０２ｂ、４１３１ａの代わりに、板バネを採用してもよい。
【００４７】
実施の形態では、意匠パネル１４、１５が金属製である例について説明したが、これに限らず、例えば意匠パネル１４、１５が樹脂製であってもよい、或いは、意匠パネル１４、１５は、樹脂製の基材の表面に、金属簿膜などを転写、溶着したものであってもよい。この場合、操作機器１００の外観に高級感を持たせることができる。更に、意匠パネル１４、１５の色を壁Ｗの色に近い色にすることにより、操作機器１００を目立たなくすることができる。或いは、意匠パネル１４、１５の色を壁Ｗの色とは異なる色にすることにより、操作機器１００をユーザの目に留まり易いものにすることができる。
【００４８】
実施の形態では、空気調和機の操作機器の例について説明したが、操作機器の操作対象機器は空気調和機に限定されるものではなく、他の住宅設備機器であってもよい。
【００４９】
本発明は、本発明の広義の精神と範囲を逸脱することなく、様々な実施形態及び変形が可能とされるものである。また、上述した実施形態は、この発明を説明するためのものであり、本発明の範囲を限定するものではない。すなわち、本発明の範囲は、実施形態ではなく、請求の範囲によって示される。そして、請求の範囲内及びそれと同等の発明の意義の範囲内で施される様々な変形が、この発明の範囲内とみなされる。
【産業上の利用可能性】
【００５０】
本発明は、操作機器を高品質感のある意匠に交換する場合の構造として好適である。
【符号の説明】
【００５１】
１，２００１，３００１，４００１  操作機器本体、８  制御基板、１０，３０１０，４０１０  筐体、１０ａ  開放部分、１１  表示モジュール、１２，３１,４２  コネクタ、１３  フレキシブル配線基板、１４，１５，２０１４，２０１５，３０１４，３０１５，４０１４，４０１５，５０１４  意匠パネル、１５ａ，１３４ａ  通気孔、１７  導光部材、１８  ベース部材、１８ａ，１０１，３１０１，４１０１  底壁、１８ｂ，１８ｃ，１８ｄ，１３１，１３２，１３３，１３４，３１３１，３１２２，４１３１，４１３２  側壁、１８ｅ  案内部、１９，９５  螺子、２１，２２  保護シート、３２  端子板、３２ａ，１０１ｃ  螺子孔、４１  コンデンサ、４３  電子部品、４７  発光部、８０  基板、８１，２０１ｅ，８２１，８２２  貫通孔、９１  サーミスタ、１００，５００  操作機器、１０１ａ  窓部、１０１ｂ，３１０２ｃ，４１３１ｂ，４１３２ｂ  突起、１０１ｄ  ボス、１０１ｅ  隔壁、１０１ｆ，１３２ｃ，２０１ａ  開口部、１１１  ディスプレイ、１１２  タッチパネル、１１３  金属フレーム、１２１，１２２，１２３，１２４  リブ、１２１ａ，１８５  保持爪、１２４ａ，３１４１ｃ，３１５１ｃ，４１４２ａ，４１５２ａ  凹部、１２５  段部、１３１ａ，１３１ｂ，１３２ａ，１３２ｂ，１３４ｂ，３１０２ａ，３１３１ｂ，３１３２ｂ，４１０２ａ  孔、１３１ｃ  内壁、１３３ｃ  導入用切欠部、１３３ｄ  係合片、１４１，１５１，３１４１，３１５１，４１４１，４１５１  主片、１４１ａ，１４２ａ，１５１ａ，１５２ａ，３１４１ａ，３１４２ａ，３１５１ａ，３１５２ａ，４１４１ａ，４１５１ａ  係合爪、１４１ｂ，１４２ｂ，１５１ｂ，１５２ｂ，１８７，３１４１ｂ，３１４２ｂ，３１５１ｂ，３１５２ｂ，４１４１ｂ，４１５１ｂ  フック、１４２，１５２，３１４２，３１５２，４１４２，４１５２  側片、１８１ａ  配線保持部、１８２  突出部、１８３  窪み部、１８４  保持部、１８７ａ  先端部、２０１ｃ  スリット、８１４，５１４２ａ  切欠部、２０４１  接着部材、３１０２ｂ，４１０２ｂ，４１３１ａ，４１３２ａ  可撓片、３１０２ｅ  薄肉部、Ｆ  床面、Ｌ  信号線、Ｌ１１，Ｌ１２  分岐線、Ｌ２１，Ｌ２２  内部信号線、Ｓ１  導入空間、Ｓ１０１  空間、Ｗ  壁
【図１】
2019215890.tif 000003
【図２】
2019215890.tif 000004
【図３】
2019215890.tif 000005
【図４】
2019215890.tif 000006
【図５】
2019215890.tif 000007
【図６】
2019215890.tif 000008
【図７】
2019215890.tif 000009
【図８Ａ】
2019215890.tif 000010
【図８Ｂ】
2019215890.tif 000011
【図８Ｃ】
2019215890.tif 000012
【図９】
2019215890.tif 000013
【図１０】
2019215890.tif 000014
【図１１】
2019215890.tif 000015
【図１２】
2019215890.tif 000016
【図１３】
2019215890.tif 000017
【図１４】
2019215890.tif 000018
【図１５】
2019215890.tif 000019
【図１６】
2019215890.tif 000020
【図１７】
2019215890.tif 000021
【図１８Ａ】
2019215890.tif 000022
【図１８Ｂ】
2019215890.tif 000023
【図１８Ｃ】
2019215890.tif 000024
【図１９Ａ】
2019215890.tif 000025
【図１９Ｂ】
2019215890.tif 000026
【図２０】
2019215890.tif 000027
【図２１Ａ】
2019215890.tif 000028
【図２１Ｂ】
2019215890.tif 000029
【図２２Ａ】
2019215890.tif 000030
【図２２Ｂ】
2019215890.tif 000031
【図２３】
2019215890.tif 000032
【手続補正書】
【提出日】令和1年11月11日(2019.11.11)
【手続補正１】
【補正対象書類名】明細書
【補正対象項目名】０００６
【補正方法】変更
【補正の内容】
【０００６】
上記目的を達成するため、本発明に係る操作機器は、
表示モジュールと、
前記表示モジュールおよび操作対象機器へ制御信号を出力する制御基板と、
前記表示モジュールおよび前記制御基板を収容し、平面視矩形状の開口部を有する箱状の筐体と、
主片と、前記主片の厚さ方向へ延出する側片と、を有し、前記主片が前記筐体の底壁の一部を覆うとともに前記側片が前記筐体の側壁の一部を覆うように前記筐体に着脱自在に取り付けられた意匠パネルと、を備える。
【手続補正２】
【補正対象書類名】明細書
【補正対象項目名】０００７
【補正方法】変更
【補正の内容】
【０００７】
本発明によれば、意匠パネルが筐体に着脱自在に取り付けられている。これにより、意匠パネルを異なる外観のものに取り換えることができるので、操作機器の設置後において操作機器の外観をその設置場所またはユーザの好みに応じた外観に変更することができるという利点がある。
【手続補正３】
【補正対象書類名】特許請求の範囲
【補正対象項目名】全文
【補正方法】変更
【補正の内容】
【特許請求の範囲】
【請求項１】
表示モジュールと、
前記表示モジュールおよび操作対象機器へ制御信号を出力する制御基板と、
前記表示モジュールおよび前記制御基板を収容し、平面視矩形状の開口部を有する箱状の筐体と、
主片と、前記主片の厚さ方向へ延出する側片と、を有し、前記主片が前記筐体の底壁の一部を覆うとともに前記側片が前記筐体の側壁の一部を覆うように前記筐体に着脱自在に取り付けられた意匠パネルと、を備える、
操作機器。
【請求項２】
前記筐体は、前記底壁または前記側壁における前記意匠パネルが取り付けられる部分に孔が設けられ、
前記意匠パネルは、前記筐体の前記孔に対応する位置に前記孔に係合する係合爪が設けられている、
請求項１に記載の操作機器。
【請求項３】
前記係合爪は、先端に前記底壁または前記側壁の厚さ方向に直交する方向へ延出するフックを有し、
前記フックは、前記孔に前記係合爪が嵌入されてから前記意匠パネルが前記底壁または前記側壁の外面に沿って摺動されると、前記底壁または前記側壁における前記孔の外周部に係合する、
請求項２に記載の操作機器。
【請求項４】
前記筐体は、先端部に前記筐体の外側へ突出する突起が設けられた第１可撓片を更に有し、
前記意匠パネルは、前記第１可撓片に対向する部位に設けられ、前記意匠パネルが前記筐体に固定された状態で、前記突起が係合する凹部を有する、
請求項２に記載の操作機器。
【請求項５】
前記筐体は、先端部に前記筐体の外側へ突出する突起が設けられた第１可撓片を更に有し、
前記意匠パネルは、前記第１可撓片に対向する部位に設けられ、前記意匠パネルが前記筐体に固定された状態で、前記突起が係合する凹部を有する、
請求項３に記載の操作機器。
【請求項６】
前記筐体は、前記底壁または前記側壁における前記少なくとも２つの孔の外周部から前記少なくとも２つの孔の内側へ延出する第２可撓片を有し、
前記第２可撓片の先端部は、前記フックが前記底壁または前記側壁における前記少なくとも２つの孔の外周部に係合された状態で、前記係合爪の基端部に係合する、
請求項３または５に記載の操作機器。
【請求項７】
前記筐体の前記底壁には、前記意匠パネルの前記主片が載置される段部が設けられている、
請求項１から６のいずれか１項に記載の操作機器。
【請求項８】
前記意匠パネルは、断面Ｌ字状の長尺の金属製の部材である、
請求項１から７のいずれか１項に記載の操作機器。
【請求項９】
前記意匠パネルは、表面に金属薄膜を転写または溶着された樹脂製の部材である、
請求項１から７のいずれか１項に記載の操作機器。
【請求項１０】
前記意匠パネルの色は、前記操作機器が設置される壁の色と同系色である、
請求項１から９のいずれか１項に記載の操作機器。
【請求項１１】
前記意匠パネルは、前記側片の端部に、指を掛けることが可能な切欠部を有する、
請求項１から１０のいずれか１項に記載の操作機器。
【国際調査報告】
2019215890.tif 000033
2019215890.tif 000034